(57)【要約】【課題】ユーザに煩雑な操作を強いることなく所定の装置に動作指令を送る。【解決手段】携帯情報端末が、現在状況を特定し、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶部を参照して、現在状況が許容状況情報に対応するか否かを判定し、現在状況が許容状況情報に対応すると判定されたときに、１の選択オブジェクトを表示し、表示した１の選択オブジェクトに対する選択操作を受け付け、選択操作が受け付けたときに、許容状況情報に対応付けられた動作情報に基づいて、所定の指令の送信対象に対して、指令内容を送信する。【選択図】図２
2015191300.tif 000002
【特許請求の範囲】
【請求項１】
ユーザによる操作に応じて所定の動作を実行する携帯情報端末であって、
現在位置または現在時刻のうち少なくとも何れか一方を示す現在状況を特定する現在状況特定手段と、
動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶手段を参照して、特定された現在状況が前記許容状況情報に対応するか否かを判定する判定手段と、
特定された現在状況が前記許容状況情報に対応すると判定されたときに、１の選択オブジェクトを表示する選択オブジェクト表示手段と、
表示された当該１の選択オブジェクトに対する選択操作を受け付けたときに、前記許容状況情報に対応付けされた動作情報に基づいて、所定の指令の送信対象を示す対象動作制御装置と、当該対象動作制御装置に対する指令内容を示す対象指令内容とを特定する対象特定手段と、
前記対象動作制御装置に対して前記対象指令内容を送信する動作指令送信手段とを含む
ことを特徴とする携帯情報端末。
【請求項２】
前記動作関連情報記憶手段は、前記指令内容を複数含む情報を前記動作情報として記憶する
請求項１記載の携帯情報端末。
【請求項３】
前記動作関連情報記憶手段は、前記動作制御装置を複数含む情報を前記動作情報として記憶する
請求項１または請求項２記載の携帯情報端末。
【請求項４】
前記動作関連情報記憶手段は、前記動作制御装置として前記携帯情報端末を含む情報を前記動作情報として記憶する
請求項１から請求項３のうち何れかに記載の携帯情報端末。
【請求項５】
ユーザによる操作に応じて携帯情報端末に所定の動作を実行させるためのコンピュータプログラムであって、
前記携帯情報端末に、
現在位置または現在時刻のうち少なくとも何れか一方を示す現在状況を特定する現在状況特定処理と、
動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶手段を参照して、特定された現在状況が前記許容状況情報に対応するか否かを判定する判定処理と、
特定された現在状況が前記許容状況情報に対応すると判定されたときに、１の選択オブジェクトを表示する選択オブジェクト表示処理と、
表示された当該１の選択オブジェクトに対する選択操作を受け付けたときに、前記許容状況情報に対応付けされた動作情報に基づいて、所定の指令の送信対象を示す対象動作制御装置と、当該対象動作制御装置に対する指令内容を示す対象指令内容とを特定する対象特定処理と、
前記対象動作制御装置に対して前記対象指令内容を送信する動作指令送信処理とを
実行させるためのコンピュータプログラム。
【請求項６】
ユーザによる操作に応じて所定の動作を実行する携帯情報端末と、当該携帯情報端末と通信ネットワークを介して接続する情報管理サーバとを備える動作制御システムであって、
前記携帯情報端末の現在位置または現在時刻のうち少なくとも何れか一方を示す現在状況を特定する現在状況特定手段と、
動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶手段を参照して、特定された現在状況が前記許容状況情報に対応するか否かを判定する判定手段と、
特定された現在状況が前記許容状況情報に対応すると判定されたときに、１の選択オブジェクトを前記携帯情報端末に表示する選択オブジェクト表示手段と、
表示された当該１の選択オブジェクトに対する選択操作を前記携帯情報端末が受け付けたときに、前記許容状況情報に対応付けされた動作情報に基づいて、所定の指令の送信対象を示す対象動作制御装置と、当該対象動作制御装置に対する指令内容を示す対象指令内容とを特定する対象特定手段と、
前記対象動作制御装置に対して前記対象指令内容を送信する動作指令送信手段とを含む
ことを特徴とする動作制御システム。
【発明の詳細な説明】
【技術分野】
【０００１】
本発明は、ユーザによる操作に応じて所定の動作を実行する携帯情報端末、ユーザによる操作に応じて携帯情報端末に所定の動作を実行させるためのコンピュータプログラム、および動作制御システムに関するものである。
【背景技術】
【０００２】
近年、１つのリモートコントローラにより複数の電子機器をより簡単に操作できるリモートコントロール技術が開示されている（例えば、特許文献１）。
【０００３】
特許文献１に記載のリモートコントローラは、ディスプレイにＡＶ機器のメニューボタン（例えば、［テレビ］と［ビデオ］と［ＤＶＤ］が表示されているメニューボタン）を表示し、ユーザにより選択されたボタンに対応するＡＶ機器が送信したメニューボタンデータを表示してユーザに選択させることにより、所定のＡＶ機器に動作指令を送る構成としている。
【先行技術文献】
【特許文献】
【０００４】
【特許文献１】特開２００５−０７３１０１号公報
【発明の概要】
【発明が解決しようとする課題】
【０００５】
しかしながら、特許文献１のようなリモートコントロール技術においては、所定の装置に動作指令を送るときに複数段階の操作を必要とする。したがって、ユーザは煩雑な操作を要求されてしまうという課題があった。
【課題を解決するための手段】
【０００６】
本発明に係る携帯情報端末は、ユーザによる操作に応じて所定の動作を実行する携帯情報端末であって、現在位置または現在時刻のうち少なくとも何れか一方を示す現在状況を特定する現在状況特定手段と、動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶手段を参照して、特定された現在状況が前記許容状況情報に対応するか否かを判定する判定手段と、特定された現在状況が前記許容状況情報に対応すると判定されたときに、１の選択オブジェクトを表示する選択オブジェクト表示手段と、表示された当該１の選択オブジェクトに対する選択操作を受け付けたときに、前記許容状況情報に対応付けされた動作情報に基づいて、所定の指令の送信対象を示す対象動作制御装置と、当該対象動作制御装置に対する指令内容を示す対象指令内容とを特定する対象特定手段と、前記対象動作制御装置に対して前記対象指令内容を送信する動作指令送信手段とを含むことを特徴とする。
【０００７】
上記の構成としたことで、ユーザに煩雑な操作を強いることなく所定の装置に動作指令を送ることができるようになる。
【０００８】
前記動作関連情報記憶手段は、前記指令内容を複数含む情報を前記動作情報として記憶する構成とされていてもよい。
【０００９】
前記動作関連情報記憶手段は、前記動作制御装置を複数含む情報を前記動作情報として記憶する構成とされていてもよい。
【００１０】
前記動作関連情報記憶手段は、前記動作制御装置として前記携帯情報端末を含む情報を前記動作情報として記憶する構成とされていてもよい。
【００１１】
また、本発明のコンピュータプログラムは、ユーザによる操作に応じて携帯情報端末に所定の動作を実行させるためのコンピュータプログラムであって、前記携帯情報端末に、現在位置または現在時刻のうち少なくとも何れか一方を示す現在状況を特定する現在状況特定処理と、動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶手段を参照して、特定された現在状況が前記許容状況情報に対応するか否かを判定する判定処理と、特定された現在状況が前記許容状況情報に対応すると判定されたときに、１の選択オブジェクトを表示する選択オブジェクト表示処理と、表示された当該１の選択オブジェクトに対する選択操作を受け付けたときに、前記許容状況情報に対応付けされた動作情報に基づいて、所定の指令の送信対象を示す対象動作制御装置と、当該対象動作制御装置に対する指令内容を示す対象指令内容とを特定する対象特定処理と、前記対象動作制御装置に対して前記対象指令内容を送信する動作指令送信処理とを実行させるためのものである。
【００１２】
また、本発明の動作制御システムは、ユーザによる操作に応じて所定の動作を実行する携帯情報端末と、当該携帯情報端末と通信ネットワークを介して接続する情報管理サーバとを備える動作制御システムであって、前記携帯情報端末の現在位置または現在時刻のうち少なくとも何れか一方を示す現在状況を特定する現在状況特定手段と、動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶手段を参照して、特定された現在状況が前記許容状況情報に対応するか否かを判定する判定手段と、特定された現在状況が前記許容状況情報に対応すると判定されたときに、１の選択オブジェクトを前記携帯情報端末に表示する選択オブジェクト表示手段と、表示された当該１の選択オブジェクトに対する選択操作を前記携帯情報端末が受け付けたときに、前記許容状況情報に対応付けされた動作情報に基づいて、所定の指令の送信対象を示す対象動作制御装置と、当該対象動作制御装置に対する指令内容を示す対象指令内容とを特定する対象特定手段と、前記対象動作制御装置に対して前記対象指令内容を送信する動作指令送信手段とを含むことを特徴とする。
【発明の効果】
【００１３】
本発明によれば、ユーザに煩雑な操作を強いることなく所定の装置に動作指令を送ることができるようになる。
【図面の簡単な説明】
【００１４】
【図１】携帯情報端末の構成例を示すブロック図である。
【図２】動作関連情報の格納例を示す説明図である。
【図３】携帯情報端末の動作の概念を示す概念図である。
【図４】動作指令送信処理の例を示すフローチャートである。
【図５】表示画面の例を示す説明図である。
【発明を実施するための形態】
【００１５】
［第１の実施の形態］
以下、図面を参照しながら、第１の実施の形態に係る携帯情報端末１００の例について説明する。
【００１６】
図１は、本実施の形態に係る携帯情報端末の構成例を示すブロック図である。図１示すように、携帯情報端末１００は、制御部１０と、記憶部２０と、メモリ３０と、表示部４０と、センサ部５０と、通信部６０と、入力部７０とを備える。
【００１７】
制御部１０は、ＣＰＵ（中央処理装置）により構成される。そして、制御部１０は、記憶部２０に記憶されたコンピュータプログラム（携帯情報端末１００に動作制御させるためのコンピュータプログラム）に従い、携帯情報端末１００を構成する各要素を統括制御し各種処理を実行するための各種機能を有する。本例では、制御部１０は、位置特定機能と表示機能とを含む各種の機能を有する。なお、これらの各種の機能は、一般の携帯情報端末が備える公知の技術によって実現される。
【００１８】
記憶部２０は、ＲＯＭやＲＡＭなどで構成され、携帯情報端末１００が使用する各種コンピュータプログラムや、各種コンピュータプログラムを実行させるための各種情報などを記憶する記憶媒体である。なお、記憶部２０の構成については、後で詳しく説明する。
【００１９】
メモリ３０は、制御部１０が処理する各種情報を一時的に保持する記憶媒体であり、ＲＡＭなどの半導体記憶装置により構成される。
【００２０】
表示部４０は、各種情報をユーザが認識可能な形で出力する機能を備え、例えば画像情報を表示する表示装置（例えば、入力機能を併せ持つタッチパネルなど）により構成される。
【００２１】
センサ部５０は、携帯情報端末１００の現在位置（つまり、ユーザの現在位置）を測位する機能を備えている。例えば、センサ部５０は、ＧＰＳセンサや、初期位置から移動量（距離）を計測する速度センサ、進行（移動）方位を計測するジャイロセンサ等からなる。
【００２２】
ＧＰＳセンサは、いわゆるＧＰＳ受信機と称されるものである。具体的には、ＧＰＳセンサは、ＧＰＳ衛星から放射されるＧＰＳ信号を受信してＧＰＳ衛星とＧＰＳ受信機自身との距離（疑似距離）を測定する。そして、ＧＰＳセンサは、複数の衛星からのＧＰＳ信号を同時に受信する。各ＧＰＳ信号を受信すると、ＧＰＳセンサは、受信したＧＰＳ信号のデコード等の処理を行う。デコード等の処理を行うと、ＧＰＳセンサは、制御部１０に通知する。このようにして、ＧＰＳセンサは、携帯情報端末１００の現在位置（つまり、ユーザの現在位置）を測位するように機能する。
【００２３】
通信部６０は、通信ネットワークに無線あるいは有線によって接続し、所定の指令の送信対象となる動作制御装置（特に、自端末以外の外部端末）に対して各種情報の送受信を行うための機能を有する。
【００２４】
入力部７０は、制御部１０に対する各種指示をユーザから受け付ける機能を備える。本例では、入力部７０は、例えば、表示部４０の表示画面上に表示される仮想的ボタンと、携帯端末１００が予め備える物理的ボタンとによって構成される。なお、本例では、入力部７０が仮想的ボタンと物理的ボタンとを含むように構成されているが、入力部７０は仮想的ボタンと物理的ボタンとの何れか一方によって構成されてもよい。特に、入力部７０が物理的ボタンで構成されている場合には、携帯情報端末１００は、物理的ボタンが選択された場合に、表示されている仮想的ボタンが選択されたものとして処理するように構成されていればよい。
【００２５】
次に、携帯情報端末１００における制御部１０の構成について詳細に説明する。図１に示すように、制御部１０は、センサ情報処理（位置情報特定）部１１と、通信処理部１２と、判定部１３と、選択オブジェクト表示処理部１４と、対象特定部１５と、動作指令送信部１６とを含む。
【００２６】
センサ情報処理部１１は、センサ部５０により位置情報を含むセンサ情報の特定や、記憶部（またはメモリ）への格納などの処理を実行する機能を有する。
【００２７】
通信処理部１２は、通信部６０によりＷＥＢサイト上の情報を含む各種情報の送受信処理を実行する機能を有する。
【００２８】
判定部１３は、現在時刻または現在位置が許容状況情報に対応するか否かを判定する処理を実行する機能を有する。具体的には、判定部１３は、動作関連情報記憶部２１を参照して、現在時刻が許容情報にて示される時刻になっているか、および現在位置が許容情報にて示されるエリア内であるか否かを判定する。なお、本例の１３は、現在時刻と現在位置とを用いて現在状況が許容情報に対応するか否かを判定するように構成されているが、判定部１３は、動作関連情報記憶部２１を参照して、現在時刻と現在位置の何れか一方を用いて現在状況が許容情報に対応するか否かを判定するように構成されていてもよい。
【００２９】
選択オブジェクト表示処理部１４は、動作情報が特定されたときに、１の選択オブジェクトを表示する処理を実行する機能を有する。具体的には、判定部１３が、現在状況が許容状況情報に対応すると判定したときに、選択オブジェクトを記憶する選択オブジェクト記憶部（不図示）を参照して、１の選択オブジェクトを表示部４０に表示する。なお、選択オブジェクト記憶部は、少なくとも１以上の選択オブジェクト（ユーザ選択のためのアイコン）に関する情報を記憶する。
【００３０】
対象特定部１５は、現在状況に対応する許容状況情報に対応付けされた動作情報に基づいて、所定の指令の送信対象（つまり、対象動作制御装置）と、当該制御装置に対する指令内容（つまり、対象指令内容）とを特定する処理を実行する機能を有する。本例では、表示部４０に表示された１の選択オブジェクトの選択が受け付けられたときに、対象特定部１５が、動作情報に含まれる対象動作制御装置と対象指令内容とを特定する。
【００３１】
動作指令送信部１６は、対象動作制御装置に対して対象指令内容を送信する処理を実行する機能を有する。すなわち、動作指令送信部１６は、対象特定部１５により特定された対象動作制御装置に対して、対象特定部１５により特定された対象指令内容を送信する。
【００３２】
次に、携帯情報端末１００における記憶部２０の構成について詳細に説明する。記憶部２０は、携帯情報端末１００を構成する各要素を統括制御するためのコンピュータプログラムを記憶する記憶部（図示せず）に加え、図１に示すように、動作関連情報記憶部２１を含む。なお、本例では、携帯情報端末１００が動作関連情報記憶部２１を備える構成としているが、携帯情報端末１００以外の端末に動作関連情報記憶部２１と同様の構成を備える記憶部が含まれる構成されていてもよい。この場合は、携帯情報端末１００が、動作関連情報記憶部２１と同様の構成を含む記憶部を備える端末に対して情報の照会要求を行うように構成される。
【００３３】
動作関連情報記憶部２１は、携帯情報端末１００が実行する処理（動作）に関連する動作関連情報を格納する記憶媒体である。図２は、動作関連情報記憶部２１が格納する動作関連情報の格納例を示す説明図である。図２に示すように、動作関連情報は、許容状況情報と、動作情報とを含む。なお、動作関連情報は、携帯情報端末１００の管理者であるユーザなどにより適宜更新される。
【００３４】
許容状況情報は、所定のオブジェクトの表示を許容する状況を示す情報であり、本例では、予め設定されたエリア（許容エリア）または時刻（許容時刻）のうち少なくとも何れか一方を示す情報である。そして、許容状況情報は、動作情報と対応付けされている。本例の許容状況情報は、特定された現在状況に対応する動作情報を特定するために用いられる。また、動作関連情報記憶部２１は、許容状況情報としてエリアが設定されている場合に、当該エリアの中心位置情報を含む許容状況情報を記憶し、携帯情報端末１００が、複数のエリアが重複する位置が現在位置となったときに、現在地に最も近い中心位置情報を特定するように構成することができる。このような構成によれば、現在の状況に応じて最適な動作情報を特定することができるようになる。
【００３５】
動作情報は、許容状況情報に対応付けされており、所定の動作制御装置と所定の動作指令の内容を示す指令内容とを含む情報である。本例の動作情報は、動作制御装置を複数含み、指令内容を複数含む。例えば、図２に示すように、動作情報は、「自己端末」、「照明Ａ１」、および「エアコンＡ１」などの複数の動作制御装置に対して、それぞれ、「アラームＯＮ」、「電源ＯＦＦ」、および「暖房１時間」などの複数の指令内容が対応付けされている。
【００３６】
次に、携帯情報端末１００の動作の概念について図を参照して説明する。
【００３７】
図３は、携帯情報端末の動作の概念を示す概念図である。図３（ａ）から図３（ｄ）では、ユーザＵにより予め設定された就寝時刻になったときにおけるスマートフォンおよび周辺機器の状況が示されている。なお、図３で示す概念においては、図２に示す動作関連情報における「時刻Ｙ」に対応する情報が動作関連情報記憶部２１に格納されている場合を例にして説明する。
【００３８】
図３（ａ）は、就寝時刻Ｙ（ここでは、２３時）になったときのユーザＵを示す図である。また、図３（ｂ）は、就寝時刻ＹになったときのスマートフォンＳの表示画面Ｄを示す図である。また、図３（ｃ）は、表示画面Ｄに表示される「おやすみ」ボタンＲＢを選択したときを示す図である。さらに、図３（ｄ）は、「おやすみ」ボタンＲＢが選択されたことによりスマートフォンＳ、照明Ａ１、エアコンＡ２に動作指令が送られ、動作指令に基づいて種々の設定が実行されたときを示す図である。
【００３９】
先ず、ユーザＵが予め設定した就寝時刻Ｙになると（図３（ａ）参照）、スマートフォンＳの表示画面Ｄには、「１の選択オブジェクト」としての「おやすみ」ボタンＲＢが表示される（図３（ｂ）参照）。ここで、ユーザＵが「おやすみ」ボタンＲＢを押下げすると（図３（ｃ）参照）、スマートフォンＳにおいてアラーム機能（例えば、スマートフォンにインストールされている目覚ましアプリケーション）がＯＮとなり、照明Ａ１において電源がＯＦＦになり、エアコンＡ２において１時間で電源がＯＦＦになる（タイマー機能をＯＮとした）暖房が設定される（図３（ｄ）参照）。
【００４０】
このように、ユーザは、それぞれの機器に対してそれぞれ設定をすることなく、かつ特定の操作により所定の操作ボタンを呼び出すことなく、所定の状況になったときに自動で表示される１の操作ボタン（お勧め１ボタン）を選択することにより、各種設定を行うことができる。したがって、ユーザに煩雑な操作を強いることなく所定の装置に動作指令を送ることができるようになる。
【００４１】
以上、携帯情報端末１００の動作の概念を説明した。次に、携帯情報端末１００の動作について図面を参照して説明する。なお、本発明に特に係わらない処理については、その詳細な説明を省略している場合がある。
【００４２】
図４は、携帯情報端末１００が実行する動作指令送信処理の例を示すフローチャートである。動作指令送信処理では、現在時刻と現在位置とを含む現在状況に基づいて所定の動作指令を所定の動作制御装置に送信する処理が実行される。
【００４３】
動作指令送信処理では、先ず、携帯情報端末１００の制御部１０は、現在状況を特定する（ステップＳ１０１）。本例における制御部１０は、現在時刻と現在位置とを特定する。具体的には、制御部１０は、携帯情報端末１００が備える時刻計時部（不図示）により現在時刻を特定し、センサ情報処理部１１により現在位置を特定する。なお、本実施の形態に係る携帯情報端末１００は、現在時刻および現在位置を特定する構成とされているが、携帯情報端末１００は、現在時刻または現在位置のうち何れか一方を現在状況として特定する構成とされていてもよい。
【００４４】
現在状況が特定されると、制御部１０は、動作関連情報記憶部２１を参照して、特定された現在状況が許容状況情報に対応するか否かを判定する（ステップＳ１０２）。すなわち、制御部１０が、現在時刻が許容状況情報によって示される時刻となっているか否か、および現在位置が許容情報にて示されるエリア内であるか否かを判定する。
【００４５】
制御部１０が現在状況が許容状況情報に対応しないと判定したとき（ステップＳ１０２のＮ）には、制御部１０は、ステップＳ１０１に移行し再び現在状況を取得する。なお、本例の現在状況の取得タイミングは、定期的（例えば、１分おき）に行われる構成とされているが、ユーザの操作に応じて決定される構成とされていてもよい。
【００４６】
一方で、制御部１０が現在状況が許容状況情報に対応すると判定したとき（ステップＳ１０２のＹ）には、制御部１０は、１の選択オブジェクトを表示する（ステップＳ１０３）。
【００４７】
図５は、「１の選択オブジェクト」を表示する表示画面の例を示す説明図である。図５に示すように、表示画面８０には、「１の選択オブジェクト」としての「おやすみ」ボタン８１が選択可能に表示される。本例では、選択オブジェクト８１が、ユーザによる「押下げ操作」を可能とするように表示される構成としているが、選択オブジェクト８１は、「スワイプ操作」や「フリック操作」などを可能とするように表示される構成とされていてもよい。
【００４８】
選択オブジェクトが表示されると、制御部１０は、ユーザから所定の選択操作を受け付ける（ステップＳ１０４）。そして、制御部１０は、ユーザから受け付けた選択操作が選択オブジェクトの選択操作（例えば、押下げ操作）であるか否かを判定する（ステップＳ１０５）。
【００４９】
制御部１０がユーザから受け付けた操作が選択オブジェクトの選択操作ではないと判定したとき（ステップＳ１０５のＮ）には、制御部１０は、ユーザから受け付けた操作をキャンセル操作として受け付けて、動作指令送信処理を終了する。なお、本例では、携帯情報端末１００が、選択オブジェクトの選択操作以外の全ての操作がキャンセル操作として受け付けられるように構成されているが、このような構成に限られない。例えば、制御部１０は、キャンセル操作のためのオブジェクトを選択オブジェクトとは別に表示し、選択オブジェクトの選択操作以外の操作を受け付けた場合であってもキャンセル操作のためのオブジェクトが選択されるまでは、動作指令送信処理を終了しない構成とされていてもよい。
【００５０】
一方で、制御部１０がユーザから受け付けた操作が選択オブジェクトの選択操作であると判定したとき（ステップＳ１０５のＹ）には、制御部１０は、動作関連情報を参照して、許容状況情報に対応付けされた動作情報に基づいて、所定の指令の送信対象（つまり、対象動作制御装置）と、指令内容（つまり、対象指令内容）とを特定する（ステップＳ１０６）。
【００５１】
送信対象と指令内容とを特定すると、制御部１０は、特定した送信対象に対して指令内容を送信する（ステップＳ１０７）。
【００５２】
制御部１０は、特定した送信対象に対して指令内容を送信すると、動作指令送信処理を終了する。
【００５３】
以上に説明したように、本実施の形態に係る携帯情報端末１００は、ユーザによる操作に応じて所定の動作を実行する携帯情報端末であって、現在位置または現在時刻のうち少なくとも何れか一方を示す現在状況を特定し、動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶部２１を参照して、特定した現在状況が許容状況情報に対応するか否かを判定し（例えば、ステップＳ１０２）、特定した現在状況が許容状況情報に対応すると判定したとき（例えば、ステップＳ１０２のＹ）に、１の選択オブジェクト（例えば、「おやすみ」ボタン）を表示し（例えば、ステップＳ１０３）、表示した当該１の選択オブジェクトに対する選択操作（例えば、押下げ操作）を受け付け（例えば、ステップＳ１０４）、選択操作を受け付けたときに、許容状況情報に対応付けされた動作情報に基づいて、所定の指令の送信対象を示す対象動作制御装置（例えば、「自己端末」、「照明Ａ１」、および「エアコンＡ２」）と、対象動作制御装置に対する指令内容を示す対象指令内容（例えば、自己端末には「アラームＯＮ」、照明Ａ１には「電源ＯＦＦ」、およびエアコンＡ２には「暖房１時間」）とを特定し（例えば、ステップＳ１０６）、対象動作制御装置に対して対象指令内容を送信する（例えば、ステップＳ１０７）ように構成される。このような構成によれば、ユーザは表示される１のボタンを選択操作することにより、動作指令を所定の動作制御装置に送信することができることとなるため、ユーザに煩雑な操作を強いることなく所定の装置に動作指令を送ることができるようになる。
【００５４】
特に、上述の実施の形態における携帯情報端末は、特定された現在状況に応じて１の選択オブジェクトが表示され、表示された選択オブジェクトの選択を受け付けると動作制御装置に対して指令内容を送信する構成としているため、ユーザ自身がなんらかの動作を実行しなければならない処理（例えば、各種機器の電源ＯＮ／ＯＦＦや、各種機器に対する設定や、各種機器に対する表示指示や、各種情報の送信処理など）が対象とされていても、ユーザは、表示画面上に表示された１の選択オブジェクトを選択するだけで当該処理を実行することができるようになる。したがって、ユーザに煩雑な操作を強いることなく所定の装置に動作指令を送ることができるようになる。
【００５５】
また、上述の実施の形態では、動作関連情報記憶部２１が、指令内容を複数含む情報を動作情報として記憶するように構成されている。このような構成によれば、ユーザ自身がなんらかの動作を実行しなければならない処理が複数の装置に対して存在する場合でも、ユーザは、表示画面上に表示された１の選択オブジェクトを選択するだけで当該処理を実行することができるようになる。したがって、所定の装置に複数の動作指令を送るときのユーザの操作負担を軽減することができるようになる。
【００５６】
また、上述した実施の形態では、動作関連情報記憶部２１が、動作制御装置を複数含む情報を動作情報として記憶するように構成されている。このような構成によれば、ユーザ自身がなんらかの動作を実行しなければならない処理が複数存在する場合でも、ユーザは、表示画面上に表示された１の選択オブジェクトを選択するだけで当該処理を実行することができるようになる。したがって、複数の装置に動作指令を送るときのユーザの操作負担を軽減することができるようになる。
【００５７】
また、上述した実施の形態では、動作関連情報記憶部２１が、動作制御装置として携帯情報端末１００を含む情報を動作情報として記憶するように構成されている。このような構成によれば、ユーザ自身がなんらかの動作を実行しなければならない処理が自己端末を含む場合でも、ユーザは、表示画面上に表示された１の選択オブジェクトを選択するだけで当該処理を実行することができるようになる。したがって、自己端末に動作指令をするときのユーザの操作負担を軽減することができるようになる。
【００５８】
なお、上述の実施の形態では特に言及していないが、表示される選択オブジェクトは、動作属性に対応するように構成されていてもよい。すなわち、携帯情報端末１００が、動作態様の属性がさらに対応付けされた動作関連情報を記憶する動作関連情報記憶部と、動作属性と選択オブジェクトが対応付けされた選択オブジェクト情報を記憶する選択オブジェクト記憶部とを備え、現在状況に対応する動作態様の属性を特定し、属性に対応する選択オブジェクトを特定し、特定した選択オブジェクトを「１の選択オブジェクト」として表示するように構成されていてもよい。具体的な例を挙げると、「就寝前」という属性を有する動作関連情報における動作情報が特定されたときには、「パジャマ姿の羊の画像」が選択オブジェクトとして表示されるように構成されていてもよい。
【００５９】
［第２の実施の形態］
上述した第１の実施の形態で言及した携帯情報端末１００が備える機能の一部を情報管理サーバが備えるように構成することができる。そこで、第２の実施の形態として、ユーザによる操作に応じて所定の動作を実行する携帯情報端末と、当該携帯情報端末と通信ネットワークを介して接続する情報管理サーバとを備える動作制御システムについて説明する。以下、上述した第１の実施の形態で言及した構成と同様の構成を有する場合には同じ名称を用いて説明する。
【００６０】
なお、特に動作主体を限定せずに「動作制御システム」が処理を行うとした場合には、携帯情報端末１００または情報管理サーバのうち少なくとも何れか一方により処理が実行されているものとして以下の説明を行う。さらに、特に主体を限定せずに「動作制御システム」が記憶部を備えるとした場合には、携帯情報端末１００または情報管理サーバのうち少なくとも何れか一方に記憶部が備えられているものとして以下の説明を行う。すなわち、動作制御システムでは、携帯情報端末１００と情報管理サーバとが、処理に用いるデータを相互に送受信することにより、「動作制御システム」における各種処理が携帯情報端末１００と情報管理サーバのうち何れか一方にて実行されるように構成されている。
【００６１】
先ず、動作制御システムは、携帯情報端末１００の現在位置または現在時刻のうち少なくとも何れか一方を示す現在状況を特定する。
【００６２】
現在状況が特定されると、動作制御システムは、動作制御システムが備える動作関連情報記憶部２１を参照して、特定された現在状況が許容状況情報に対応するか否かを判定する。
【００６３】
特定された現在状況が許容状況情報に対応すると判定されたときに、動作制御システムにおける携帯情報端末１００は、１の選択オブジェクトを表示する
【００６４】
動作制御システムにおける携帯情報端末１００が１の選択オブジェクトに対する選択操作を受け付けたときに、動作制御システムは、許容状況情報に対応付けされた動作情報に基づいて、所定の指令の送信対象を示す対象動作制御装置と、当該対象動作制御装置に対する指令内容を示す対象指令内容とを特定する。
【００６５】
そして、動作制御システムは、対象動作制御装置に対して対象指令内容を送信する。
【００６６】
以上のように、上述した第２の実施の形態に係る動作制御システムは、ユーザによる操作に応じて所定の動作を実行する携帯情報端末と、携帯情報端末と通信ネットワークを介して接続する情報管理サーバとを備える動作制御システムであって、携帯情報端末の現在位置または現在時刻のうち少なくとも何れか一方を示す現在状況を特定し、動作の内容に関連する情報であって、所定のオブジェクトの表示を許容する状況を示す許容状況情報と、所定の動作制御装置と所定の動作指令の内容を示す指令内容とを含む動作情報とが対応付けされた動作関連情報を記憶する動作関連情報記憶部を参照して、特定した現在状況が許容状況情報に対応するか否かを判定し、特定した現在状況が許容状況情報に対応すると判定したときに、１の選択オブジェクトを携帯情報端末に表示し、表示した当該１の選択オブジェクトに対する選択操作を携帯情報端末が受け付けたときに、許容状況情報に対応付けされた動作情報に基づいて、所定の指令の送信対象を示す対象動作制御装置と、当該対象動作制御装置に対する指令内容を示す対象指令内容とを特定し、対象動作制御装置に対して対象指令内容を送信するように構成される。このような構成によれば、ユーザは表示される１のボタンを選択操作することにより、動作指令を所定の動作制御装置に送信することができることとなるため、ユーザに煩雑な操作を強いることなく所定の装置に動作指令を送ることができるようになる。
【産業上の利用可能性】
【００６７】
本発明は、所定の装置に動作指令を送るのに有用である。
【符号の説明】
【００６８】
１００          携帯情報端末
１０            制御部
１１            センサ情報処理（位置情報特定）部
１２            通信処理部
１３            判定部
１４            選択オブジェクト表示処理部
１５            対象特定部
１６            動作指令送信処理部
２０            記憶部
２１            動作関連情報記憶部
３０            メモリ
４０            表示部
５０            センサ部
６０            通信部
７０            入力部
【図１】
2015191300.tif 000003
【図２】
2015191300.tif 000004
【図３】
2015191300.tif 000005
【図４】
2015191300.tif 000006
【図５】
2015191300.tif 000007